(57)【要約】【課題】物の重さで、上下運動をおこし、流体をもって水を採り乍ら産業を興し、地球を守り尚新エネルギーを確立するのを統一的なもので確立したい【解決手段】その中心的なものに自然の、風、川の流れの力や、自動車のエルギーの再利用を用い流体に伝えそれをもって水素をとり、太陽熱等をもって之れを為す。【選択図】    図１
2004286007.tif 000002
【特許請求の範囲】
【請求項１】
仕事をするエネルギーを持つ群れＡの、質量移転を受ける群れＢを経て該装置は、標高を上げて産業を興し、環境保全と省エネルギーを同一の過程として果す、駆動源装置。
【発明の詳細な説明】
【０００１】
【発明の属する技術分野】
河川、湖沼、雨水、排水、海水の標高上げにより生活向上を計らんとする駆動源装置の使用、製造に関するもの
【０００２】
【従来の技術】
本発明の如く、電力を無視し、自然の力と、日常行動の中より活用を計り向上を考えそれを為す対象は皆無であると思います。
【０００３】
【発明が解決しようとする課題】
人の誕生等や、大量死が机上で計られる今、人々の反応は化、科学に対する不安は多く生活向上にも批拌がある然し乍ら物の始りは自然の中より生じるを再認し最終的には地球をすくい豊な心身を先進国も後進国も共に受けたい。
【０００４】
【課題を解決するための手段】
Ａのエネルギーを上手にＢに依り質量の転移（本案における質量とは、広義に物のもっている質の量、嵩、つまり重量に解釈します）し、それにより数々の恩恵を自然界及び再生とも言える方法を交え行うものである殊にエネルギーを捨て去る自働車の応用、利用は特筆すべきものである
【０００５】
【発明の実施の形態】
素直な手段で水を（含む海水）高きに上げ、物を養い、日常生活をうるおし、水や、塩や、水素を太陽や河川、風等の自然と捨て去られていた又霧散を当然と思われていた自働車等の消滅エネルギー（走行するそのもののエネルギー利用）利用にて日常生活と環境をよくしたい
【０００６】
【実施例】
図に従って説明すると、仕事をするエネルギーを持つ群れＡは、例えればＡ１の自働車、Ａ２の人、Ａ３の風車、水車とし、その質量の移転（重さの移軽）を受ける群Ｂをシート、ターポリｖの如き防水性布Ｂ１アコーデオン型の合成樹脂製、軽金属製のＢ２と同材質の擢動性Ｂ３のいづれもポンプ型のものと梃子の原理を用いたＢ４等であります。図２はＡ１Ｂ１を使用したもので、駆動源１の構造は自自働車を乗せる板２と、２と地面とを斜めの板３、で自働車の乗り降りでその重量に依り、２が上、下、前後に動く時、地面を滑る様に固定を兼ねた蝶番４をつける。１の内側には、Ａ１の乗り降りで生ずる上、下の歪みを治すスプリング５、を設ける。防水布Ｂ１の膨脹、伸縮によって損失前後の間隙を６とし、板２が地面に接してもＢ１を圧縮より守る溝を７とする、８は河川、湖沼、雨水貯水槽排水槽、海、湾である、吸水管９（水）９１（海水）を８に入れ給水管１０（水）１０１（海水）を設けそれぞれに弁１１を設える自働車Ａ１の上、下、Ｂ１の袋状ポンプ型の作業によりそれぞれの液体の標高を上げる事が出来質量（重さ）の移転が出来目的の一つが出来たこれは同一過程の初まりである。
図３はＡ２とＢ２を対象としたもので人Ａ２の集るところ例えば学校、工場、公園、駅、催し場、歩道、商店街等でアコーデオン型のＢ２をもって標高を計り貯水槽１２を満し爆気落下水１３吸気管１４をもって水中に気泡１５を送り共に水質を正さんとするものである保育園等では教材になると思う。図４はＡ３Ｂ３を用いたものでＡ３の回転を歯車１６、カム１７により上下運動の擢動ポンプとし外筒Ｇ内筒Ｇ１パッキンＧ３で出来作用は駆動源装置１を以て図２図３に準ず。図７はＡ１と梃子Ｂ４を用いたもので袋状、アコーデオン型、筒型の擢動と異り梃子棒１９が１９１に移る間の距離を利用する手押し型の物で吸水管９の口径を大に出来る利用点がある、管内上部に滑車２０を設け梃子棒１９の操作を助ける操作は図２図３図４に準じる
図６はＡ１とＢ１、Ｂ２、Ｂ３のいづれかとの組合せをもって井戸湧水２１を用い主旨としては、地震等火災時の非常用としたものである、枠Ｃは非常時の時前述の防護溝７にかわり地面上に置Ｂを要護するものである作業は図２図３等に準じる
図５は８の河川、海等のうち海の海水を選んだもので熱交換機３６より来る熱湯２８流木等やゴミの燃料Ｄにより、駆動源装置１より貯水槽１２、に入りし海水は釜２２、に入り沸騰される、但しＤと２８の併用、単獨は自由である。
釜は二重槽の蓋２３にて覆われ、中を海水が通る熱せられた海水は塩を残し２７の蒸気となり蓋や露受板２６に当り蒸留水２９又は水として外部に出し造水作業を果す冷却用海水の巡環を必要とする時はポンプ３０を使う、造塩は必然的なものである。この思想は四周海に囲まれている日本に於て一基億単位で開発中の風力発電機に較べ、純国産で行える小資本投下の造水装置でしかも余熱で温水をもって温室等を作り産業をおこせる雄大なものである、尚海水は２４である又Ｅは温室である。図に戻り該装置の説明を続けると、１の作用により給水管１０（水）の標高を上げたものを一般家庭３１、工場、大型建物３２、にて生活用水に使い高い場所Ｆに揚げ、Ｆ１の産業（農林、園藝、養魚、蓄産、貯水、地下水函養、温室、浴場）等を興し尚Ｆ２の街路樹やＦ３の花だんに散水する、尚海水を上げ給水管１０１より図５にある如く造水を為し、又電気分解装置３３に海水を入れ水素をとり水素伝導装置３４で燃料電池３５に送る。そこで発生した高熱を熱交換機３６に入り伝導装置３７を経て釜２２に至るここに使用される電力は太陽電池３８、電池３９で配線は４０である。
この綜合的系統図に示すものは、自然の恵を限り無く謝意をこめて盡すと同時に大気汚染云々と言われる自働車に社会奉仕の一員として面目を新たにしたものだ。
【０００７】
【発明の効果】
海と真水、流れと自然、殊に自働車との組合せで何よりも現世の望む飲料、興産業、環境保全が極めて安価に出来る、駆動源装１は必ず丈夫で正確に動く。
【図面の簡単な説明】
【図１】駆動源装置の統合的系統図
【図２】Ａ１とＢ１に関するもの（自動車と防水布袋）
【図３】Ａ２とＢ２に関するもの（人とアコーデオン型）
【図４】Ａ３とＢ３に関するもの（風車、水車と櫂動型）
【図５】造水、造塩に関するもの
【図６】非常時用の採水型
【図７】梃子利用のもの
【符号の説明】
１    駆動源
２    Ａ１Ａ２Ａ３の力が乗る板
３    斜めの板
４    蝶番
５    スプリング
６    間隙
７    溝
８    河川、湖沼、雨水排水の貯水槽、海、
９    水の吸水管
９１  海水の吸水管
１０    水の給水管
１０１  海水の給水管
１１    弁
１２    貯水槽
１３    爆気（落下する水）
2004286007.tif 000003
２１    井戸                        Ｃ    枠
２２    釜                          Ｄ    流木、ゴミ
２３    二重層の蓋                  Ｅ    温室
2004286007.tif 000004
２６    露受板                      Ｆ２  街路樹
２７    蒸気                        Ｆ３  花だん
２８    熱湯                        Ｆ    高い場所
２９    蒸留水                      Ｇ    外筒
３０    ポンプ                      Ｇ１  内筒
３１    一枚の家庭                  Ｇ２  パッキン
３２    工場、大型建物
３３    電気分解装置
３４    水素伝導装置
３５    燃料電池
３６    熱交換機
３７    熱伝導装置
３８    太陽電池
３９    電池
４０    配線
【図１】
2004286007.tif 000005
【図２】
2004286007.tif 000006
【図３】
2004286007.tif 000007
【図４】
2004286007.tif 000008
【図５】
2004286007.tif 000009
【図６】
2004286007.tif 000010
【図７】
2004286007.tif 000011